(57)【要約】  本開示の実施形態は、シェービングアセンブリ及びシェービングアセンブリを有する毛切断器具に関する。シェービングアセンブリは、第１の方向に延びる支持アームと、第１の方向に沿って配置される少なくとも１つの移動歯を有する切断要素と、第１の方向に延び、切断要素を取り囲むガードフォイルと、を有し、ガードフォイルは、接触面と屈曲部とを有し、接触面と支持アームとの間の角度は鋭角であり、少なくとも１つのガード歯スロットが、接触面及び支持アームを横切って形成され、シェービングアセンブリは、接触面と実質的に垂直な第２の方向に移動歯と支持アームとの間に延びるブロッキング部材をさらに有し、ブロッキング部材は、ガード歯スロットが毛に対して移動されるときに、毛がガード歯スロットから解放されるのを容易にするように適合される。
2021518193.tif 000002
【特許請求の範囲】
【請求項１】
シェービングアセンブリであって：
第１の方向に延びる支持アームと；
前記第１の方向に沿って配置される少なくとも１つの移動歯を有する切断要素と；
前記第１の方向に延び、前記切断要素を取り囲むガードフォイルであって、前記ガードフォイルは：
接触面及び屈曲部であって、前記接触面は皮膚と接触するように適合され、前記屈曲部は前記支持アーム上に前記ガードフォイルを固定するために前記第１の方向に延び、前記接触面と前記支持アームとの間の角度が鋭角である、接触面及び屈曲部、並びに、
前記接触面及び前記支持アームを横切って形成され、前記第１の方向に沿って配置される少なくとも１つのガード歯スロットであって、前記ガード歯スロットは、前記ガード歯スロットが毛に対して移動されるとき、前記毛を前記移動歯に向けるように適合される、少なくとも１つのガード歯スロット、を有する、
ガードフォイルと；を有し、
前記シェービングアセンブリはさらに：
前記移動歯と前記支持アームとの間で前記接触面に対して実質的に垂直な第２の方向に延びるブロッキング部材であって、前記ブロッキング部材は、前記ガード歯スロットが毛に対して動かされるとき、前記ガード歯スロットから前記毛が解放されるのを容易にするように適合される、ブロッキング部材、を有する、
シェービングアセンブリ。
【請求項２】
前記支持アームは、前記第１の方向に沿って配置され、前記少なくとも１つのガード歯スロットに対応する少なくとも１つの溝を有し、前記ガード歯スロットの端部は前記溝の底部まで延び、前記ガード歯スロットの反対側の端部は前記移動歯まで延びる、
請求項１に記載のシェービングアセンブリ。
【請求項３】
前記ブロッキング部材は、前記移動歯と前記支持アームとの間を前記第２の方向に延び、前記ガード歯スロットに面する表面を有する、第１のブロッキング部を有する、
請求項１に記載のシェービングアセンブリ。
【請求項４】
前記第１のブロッキング部は第１の端部及び第２の端部を有し、前記第１の端部は、前記移動歯に関連付けられるルートに接続可能であり、前記第２の端部は、第１の距離だけ前記支持アームの内壁から分離される、
請求項３に記載のシェービングアセンブリ。
【請求項５】
前記ブロッキング部材は、前記移動歯と前記支持アームとの間に前記第２の方向に延びる少なくとも１つの第２のブロッキング部をさらに有し、前記第２のブロッキング部は、前記第１のブロッキング部に対して実質的に垂直に配向される、
請求項３に記載のシェービングアセンブリ。
【請求項６】
前記少なくとも１つの第２のブロッキング部は、前記第１のブロッキング部の異なる側部に配置された２つの第２のブロッキング部を有する、
請求項５に記載のシェービングアセンブリ。
【請求項７】
前記第２のブロッキング部は第１の端部及び第２の端部を有し、前記第１の端部は、前記移動歯に接続可能であり、前記第２のブロッキング部の前記第２の端部は、第２の距離だけ前記支持アームの内壁から分離される、
請求項５に記載のシェービングアセンブリ。
【請求項８】
前記第２のブロッキング部の前記第２の端部は、前記支持アームの前記内壁と一致する表面を有する、
請求項７に記載のシェービングアセンブリ。
【請求項９】
前記表面は、前記支持アームの前記内壁に沿って且つ前記支持アームの溝の底部を越えて延び、前記溝は、前記ガード歯スロットに対応する、
請求項８に記載のシェービングアセンブリ。
【請求項１０】
前記第１のブロッキング部は第１の端部及び第２の端部を有し、前記第１の端部は、前記支持アームの溝の底部に接続可能であり、前記溝は、前記ガード歯スロットに対応し、前記第２の端部は、第３の距離だけ前記移動歯から分離される、
請求項３に記載のシェービングアセンブリ。
【請求項１１】
前記第２のブロッキング部は第１の端部及び第２の端部を有し、前記第２の端部は、前記支持アームの溝に関連付けられるフィンガに接続され、前記溝は、前記ガード歯スロットに対応し、前記第２の端部は、第４の距離だけ、前記移動歯から分離される、
請求項４に記載のシェービングアセンブリ。
【請求項１２】
前記ブロッキング部材は、前記移動歯と一体的に形成される、
請求項１に記載のシェービングアセンブリ。
【請求項１３】
前記ブロッキング部材は、前記支持アームと一体的に形成される、
請求項１に記載のシェービングアセンブリ。
【請求項１４】
請求項１乃至１３のいずれか１項に記載のシェービングアセンブリと；
前記シェービングアセンブリ内の前記切断要素の移動を生じさせるように構成される駆動機構と；
を有する、
毛切断器具。
【発明の詳細な説明】
【技術分野】
【０００１】
本開示の実施形態は、概して、家庭用機器、より具体的には、シェービングアセンブリ及びシェービングアセンブリを有する毛切断器具に関する。
【背景技術】
【０００２】
顔の毛を剃り、手入れをする（grooming）ための従来のトリマー又はクリッパーは、皮膚からある距離で毛を切断するように設計されている。いくつかの近接（close）シェービングトリマーは、皮膚からのはるかに近い距離での毛の切断を可能にするために改良された構造を用いることが提案されている。通常、近接シェービングトリマーは、薄いガード歯に依存する。さらに、効果的で快適なトリミングを達成するために、複雑な丸い特徴部及び他の特徴部も必要とされることがある。
【０００３】
一例として、特許文献１は、ガード歯又はヘアキャッチングカットアウトを有する薄く平らな金属シートが成形ベース上に延伸された器具を開示する。このタイプの器具は、薄いフォイル（箔）の平らなシートから簡単に作ることができるので、通常、安価である。しかし、このような器具は、通常、角度が付けられたガード歯スロットにおいて切断された毛の詰まりを招く。このような詰まりの問題は、特に、スロットの傾斜した部分に比較的長い毛が行き詰る（stuck）又は押し込まれる（wedged）ことによって引き起こされる。この場合、その後の毛の捕獲は妨げられるか又は完全に停止される。
【先行技術文献】
【特許文献】
【０００４】
【特許文献１】中国特許出願公開第１06346519号
【発明の概要】
【０００５】
本開示の実施形態は、目詰まり防止ブロッキング部材を備えるシェービングアセンブリ及びシェービングアセンブリを有する毛切断器具を提供する。
【０００６】
第１の態様では、シェービングアセンブリが提供される。シェービングアセンブリは：第１の方向に延びる支持アームと；第１の方向に沿って配置される少なくとも１つの移動歯を有する切断要素と；第１の方向に延び、切断要素を取り囲むガードフォイルであって、ガードフォイルは：接触面及び屈曲部であって、接触面は皮膚と接触するように適合され、屈曲部は支持アーム上にガードフォイルを固定するために第１の方向に延び、接触面と支持アームとの間の角度が鋭角である、接触面及び屈曲部、並びに、接触面及び支持アームを横切って形成され、第１の方向に沿って配置される少なくとも１つのガード歯スロットであって、ガード歯スロットは、ガード歯スロットが毛に対して移動されるとき、毛を移動歯に向けるように適合される、少なくとも１つのガード歯スロット、を有する、ガードフォイルと；を有し、シェービングアセンブリはさらに、移動歯と支持アームとの間で接触面に対して実質的に垂直な第２の方向に延びるブロッキング部材であって、ブロッキング部材は、ガード歯スロットが毛に対して動かされるとき、ガード歯スロットから毛が解放されるのを容易にするように適合される、ブロッキング部材を有する。
【０００７】
本開示の実施形態によれば、ブロッキング要素は、切断された毛を歯スロットから効果的に押し出す又は排出することができ、これにより、ガード歯スロットで生じる毛詰まりの可能性を低減し、それにより、連続的で快適なシェービングを可能にする。
【０００８】
いくつかの実施形態では、支持アームは、第１の方向に沿って配置され、少なくとも１つのガード歯スロットに対応する少なくとも１つの溝を有し、ガード歯スロットの端部は溝の底部まで延び、ガード歯スロットの反対側の端部は移動歯まで延びる。この方法では、毛、特に長い毛は、実質的に垂直な向きで、移動歯の切断位置で容易に受け入れられることができる。
【０００９】
いくつかの実施形態では、ブロッキング部材は、移動歯と支持アームとの間を第２の方向に延び、ガード歯スロットに面する表面を有する、第１のブロッキング部を有する。これらの実施形態では、ガード歯スロットが毛に対して移動されるとき、第１のブロッキング部は、切断された毛をスロットから押し出すように、表面を介して追加の力を加え得る。この場合、行き詰った毛の解放は、もはや、次の毛によって加えられる力だけに依存しているわけではない。この方法では、毛はスロットから容易に解放されることができる。
【００１０】
いくつかの実施形態では、第１のブロッキング部の端部は、移動歯に関連付けられるルートに接続され、第１のブロッキング部の反対側の端部は、第１の距離だけ支持アームの内壁から分離される。この方法では、維持される第１の距離は、移動歯の移動中に第１のブロッキング部の反対側の端部と支持アームの内壁との間に生じる摩擦を低減することができる。
【００１１】
いくつかの実施形態では、ブロッキング部材は、移動歯と支持アームとの間に第２の方向に延びる少なくとも１つの第２のブロッキング部をさらに有し、第２のブロッキング部は、第１のブロッキング部に対して実質的に垂直に配向される。いくつかの実施形態では、少なくとも１つの第２のブロッキング部は、第１のブロッキング部の異なる側部に配置された２つの第２のブロッキング部を有する。第２のブロッキング部分は、さらに、２つの側壁を提供し、これは、第１の方向における切断された毛の運動自由度を制限することによって、切断された毛の向きを維持するのを助ける。この方法では、切断された毛は、スロットから解放される前に、側壁によって適切に操作されることができる。
【００１２】
いくつかの実施形態では、第２のブロッキング部の端部は、移動歯に接続され、第２のブロッキング部の反対側の端部は、第２の距離だけ支持アームの内壁から分離される。この方法では、維持される第２の距離は、同様に、移動歯の移動中に第２のブロッキング部の反対側の端部と支持アームの内壁との間に生じる摩擦を低減することができる。
【００１３】
いくつかの実施形態では、第２のブロッキング部の反対側の端部は、支持アームの内壁と一致する（matching  with）表面を有する。この方法では、角度が付けられた部分によって画定されるほぼ全体の内部空間が第２のブロッキング部で満たされることができ、これは毛の詰まり（hair  clogging）の可能性をさらに減少させる。
【００１４】
いくつかの実施形態では、表面は、支持アームの内壁に沿って且つ支持アームの溝の底部を越えて延び、溝は、ガード歯スロットに対応する。この方法では、切断された毛は、スロットから完全に解放される前に、側壁によって連続的に操作されることができる。
【００１５】
いくつかの実施形態では、第１のブロッキング部の端部は、支持アームの溝の底部に接続され、溝は、ガード歯スロットに対応し、第１のブロッキング部の反対側の端部は、第３の距離だけ移動歯から分離される。いくつかの実施形態では、第２のブロッキング部の端部は、支持アームの溝に関連付けられるフィンガに接続され、溝は、ガード歯スロットに対応し、第２のブロッキング部の反対側の端部は、第４の距離だけ、移動歯から分離される。この代替方法では、ブロッキング部材は、移動歯の代わりに、支持アームに接続されることができ、これは、移動歯の重量を低減する。一方、切断要素の元の設計は影響を受けない。
【００１６】
いくつかの実施形態では、ブロッキング部材は、移動歯と一体的に形成される。
【００１７】
いくつかの好ましい実施形態では、移動歯と共に形成されるブロッキング部材と支持アームとの間の残存ギャップは、ブロッキング部材と支持アームとの間の摩擦を防止するのに十分なクリアランスを維持しながら、可能な限り小さくすべきである。さらに好ましい実施形態では、この距離は１００ミクロン未満であり、さらに好ましい実施形態では、この距離は５０ミクロン未満である。
【００１８】
いくつかの実施形態では、ブロッキング部材は、支持アームと一体的に形成される。
【００１９】
いくつかの好ましい実施形態では、支持アームと共に形成されるブロッキング部材と移動歯との間の残存ギャップは、ブロッキング部材と移動歯との間の摩擦を防止するために十分なクリアランスを維持しながら、可能な限り小さくすべきである。さらに好ましい実施形態では、この距離は１００ミクロン未満であり、さらに好ましい実施形態では、この距離は５０ミクロン未満である。
【００２０】
一体的に形成されたブロッキング部材（移動歯と一体化されているか又は支持アームと一体化されているかのいずれか）は、シェービングアセンブリの製造及び組立を容易にし、同時に全体の剛性を改善し得る。
【００２１】
第２の態様では、毛切断器具が提供される。毛切断器具は：本開示の第１の態様によるシェービングアセンブリと；シェービングアセンブリ内の切断要素の移動を生じさせるように構成される駆動機構とを有する。
【００２２】
以下の議論を通して、従来の毛切断器具と比較して、本開示の種々の実施形態による詰まり防止シェービングアセンブリを有する毛切断器具は、スロットで生じる毛の詰まりを回避し、それによって、ユーザのシェービング中に生じる不快感及び不連続感を除去することができることが明らかであろう。一方、簡単な設計と容易な製造により、このような切断器具は費用対効果が高くなる。
【図面の簡単な説明】
【００２３】
本明細書に記載された図面は、本開示をさらに説明するために提供され、本開示の一部を構成する。本開示の例示的な実施形態及びその説明は、本開示を不適切に限定するためではなく、本開示を説明するために使用される。
【００２４】
【図１Ａ】本開示の種々の実施形態によるシェービングアセンブリの分解図を示し、ブロッキング部材は取り付けられていない。
【図１Ｂ】組み立てた状態での図１Ａに示すシェービングアセンブリを斜視図である。
【図１Ｃ】図１Ｂに示すシェービングアセンブリの別の斜視図を示す。
【図２】図１Ｃのシェービングアセンブリの側面図を示す。
【図３Ａ】切断された毛によって生じる詰まり発生プロセスを概略的に示す図である。
【図３Ｂ】切断された毛によって生じる詰まり発生プロセスを概略的に示す図である。
【図３Ｃ】切断された毛によって生じる詰まり発生プロセスを概略的に示す図である。
【図４】毛詰まりが形成された状態の図１Ｃのシェービングアセンブリの内部ビューを概略的に示す。
【図５】本開示の一実施形態による、切断要素に取り付けられたブロッキング部材の斜視図を示す。
【図６】本開示の一実施形態による、切断要素に取り付けられたブロッキング部材を有するシェービングアセンブリの斜視図を示す。
【図７】図６に示すシェービングアセンブリの側面図である。
【図８Ａ】図５−７に示されているブロック要素によって毛詰まりがどのように防止されるかを概略的に示す。
【図８Ｂ】図５−７に示されているブロック要素によって毛詰まりがどのように防止されるかを概略的に示す。
【図８Ｃ】図５−７に示されているブロック要素によって毛詰まりがどのように防止されるかを概略的に示す。
【００２５】
図面を通して、同一又は類似の参照記号は、同一又は類似の要素を示すために使用される。
【発明を実施するための形態】
【００２６】
本開示の原理は、図面に示されたいくつかの例示的な実施形態を参照して次に説明される。本開示の例示的な実施形態が図面に示されているが、実施形態は、本開示の範囲をいかなる方法でも制限するのではなく、当業者がより良く理解し、それにより本開示を達成することを容易にするために記載されているに過ぎないことが理解されるべきである。
【００２７】
図１Ａは、本開示の様々な実施形態によるシェービングアセンブリ１００の分解図を示す。図示のように、シェービングアセンブリ１００は、概して、ガードフォイル３、切断要素２、及び２つの支持アーム１を有するベースを有する。
【００２８】
議論のために、以下では、シェービングアセンブリ１００の長さ方向は「第１方向」Ｘ、シェービングアセンブリ１００の高さ方向は「第２方向」Ｚ、シェービングアセンブリ１００の幅方向は「第３方向」Ｙと称される。第１方向Ｘと第３方向Ｙは互いに垂直で水平面ＸＹを共に画定する。第２の方向Ｚは、水平面ＸＹに対して実質的に垂直である。
【００２９】
２つの支持アーム１は、第１の方向Ｘに延び、第３の方向Ｙに対してある角度だけ傾斜している。切断要素２もまた、第１の方向Ｘに延び、第１の方向Ｘに沿って配置される複数の移動歯２１を有する。さらに、いくつかの実施形態では、ガードフォイル３が、第１の方向Ｘに沿った軸に対するガードフォイル３の一部の曲げ部を介して切断要素２を取り囲むように延ばされることができる。
【００３０】
図１Ａ〜１Ｃに示すように、ガードフォイル３は、接触面３１と、屈曲部３８とを有する。操作されるとき、接触面３１は、ユーザの皮膚と接触するように構成され、屈曲部３８は、支持アーム１上にガードフォイル３を固定するために第１の方向Ｘに延びる。この方法では、ガードフォイル３は、支持アーム１上に支持又は吊下げられることができ、それによって、図１Ｂに示すようにシェービングアセンブリ１００の内部空間３２０を形成する。内部空間３２０は、図１Ｃに示すように、切断要素２を移動させるための駆動機構３００を収容するために使用することができる。
【００３１】
いくつかの実施形態では、接触面３１は、実質的に平坦であり得る。いくつかの他の実施形態では、接触面３１は、シェービング快適性を高めるために、いくつかの付加的な表面特徴部（例えば、湾曲した特徴部）を含み得る。いくつかの他の実施形態では、接触面全体は、いくつかの特定の要件を満たすように湾曲面としてさえ構成され得る。
【００３２】
依然として、図１Ａを参照すると、本開示の実施形態によれば、複数のガード歯スロット３７が、第１の方向Ｘに沿って配置される。ガード歯スロット３７は、接触面３１及び支持アーム１の両方を横切って（across）形成される。換言すれば、これらのガード歯スロット３７は、接触面３１及び支持アーム１によって形成される角部又は角度が付けられた（angulated）部分に形成される。これらのガード歯スロット３７は、移動歯２１に対応し、ガード歯スロット３７が動作中に毛に対して移動するときに、移動歯２１に毛を向けるために使用することができる。
【００３３】
いくつかの実施形態では、図１Ａに示すように、支持アーム１は、複数の溝１１を有し得る。これらの溝１１は、同様に、第１の方向Ｘに沿って配置され、ガード歯スロット３７に対応する。この例では、ガード歯スロット３７の一方の端部３７１は溝１１の底部１１１まで延び、ガード歯スロット３７の反対側の端部３７２は移動歯２１まで延びる。これにより、角を付けられたガード歯スロット３７が形成される。この方法では、毛、特に長い毛は、実質的に垂直な向きで、言い換えると、第２の方向Ｚに移動歯２１の切断位置に到達するように、スロット３７内に容易に案内されることができる。
【００３４】
図２を参照すると、上述したように、支持アーム１の傾斜した向きのために、ガードフォイル３が支持アーム１に固定されるとき、ガードフォイル３の接触面３１と支持アーム１との間に鋭角θが形成される。本発明者らは、シェービングアセンブリ１００の構造に関連して、角度が付けられたガード歯スロット３７で、特に支持アーム１に沿って取り付けられたガード歯スロット３７の傾斜部分で、潜在的な詰まりが生じ得ることを見出した。
【００３５】
これは、部分的には、角度が付けられたガード歯スロット３７が、長い毛がガード歯スロット３７の傾斜した部分に行き詰る又は押し込まれる可能性を増大させるからである。さらに、第１の方向Ｘに沿ったスロットの寸法は、通常、効果的な切断を可能にするために、毛の直径と同じオーダーであるように設計され、これもまた、毛の押し込み（hair  wedge）の要因になる。さらに、特に、ガードフォイル３が支持アーム１に固定され、したがってガード歯スロット３７が比較的厚い溝１１と整列するとき、厚いスロットが形成され、これもまた、毛の押し込みの要因になる。
【００３６】
図３Ａ〜３Ｂは、シェービングアセンブリ１００内の切断された毛によって引き起こされる詰まり発生プロセスを概略的に示す。図３Ａに示すように、毛２０１は、切断され、ガード歯スロット３７で行き詰っている。次に、図３Ｂに示すように、毛に対するシェービングアセンブリ１００のさらなる動きによって、先に切断され行き詰った毛２０１は、後続の毛によって生成された力によって、スロットから容易に解放されたり押し出されたりすることができない。換言すれば、後続の毛による印加力は、行き詰った毛２０１をスロットから引き抜くのに十分ではないことがある。これは、軟らかい毛の間の相互作用力が通常弱いからである。
【００３７】
次に、図３Ｃに示されるように、より多くの切断された毛がスロットに押し込まれるため、詰まりが最終的に形成されてスロットを閉じる。このように、毛に対するシェービングアセンブリのさらなる移動でさえ、短い毛しか移動歯２１に到達することができず、一方、長い毛はもはや、移動歯２１の切断位置に到達するようにスロットに受け入れられることができない。したがって、ユーザはシェービングを停止し、押し込まれた毛を清掃しなければならない。
【００３８】
図４は、形成された毛詰まりを有するシェービングアセンブリの内部ビューを概略的に示す。図示されるように、いくつかの状況において、切断された毛２０１は、それ自体を適切に位置決めすることができない可能性がある。むしろ、実質的に水平方向に２つの隣接する移動歯２１を横切るように倒れる可能性がある。これは、詰まりをさらに悪化させることになる。
【００３９】
以上のことを考慮すると、本開示の様々な実施形態によれば、図１Ａ〜４に示されるシェービングアセンブリ１００はさらに詰まり防止ブロッキング部材４０を備えている。ブロッキング部材４０は、平坦な接触面３１に対して実質的に垂直である第２の方向Ｚにおいて、移動歯２１と支持アーム１との間に延びる。ブロッキング部材４０は、ガード歯スロット３７が毛２０１に対して移動されるときに、毛２０１がガード歯スロット３７から解放されることを容易にし得る。
【００４０】
次に、ブロッキング部材４０を有するシェービングアセンブリ１００の様々な実施形態を、図５〜８Ｃを参照して説明する。
【００４１】
いくつかの実施形態では、ブロッキング部材４０は、移動歯２１の延長部として移動歯２１と一体に形成されることができる。この場合、ブロッキング部材４０は、移動歯２１と同じ材料から作られ得る。他の実施形態では、ブロッキング部材４０は、例えば、全体的なコスト及び重量を低減するためにプラスチックから作られることができる。
【００４２】
図５は、移動歯２１に取り付けられたブロッキング部材４０の斜視図を示す。図示されるように、いくつかの実施形態では、ブロッキング部材４０は、第１のブロッキング部４１を有し得る。第１のブロッキング部４１は、第２の方向Ｚに移動歯２１と支持アーム１との間に延び、ガード歯スロット３７に面する表面４１１を有する。
【００４３】
ガード歯スロット３７が毛に対して移動されるとき、ブロッキング部４１は、切断された毛２０１をガード歯スロットから押し出すように、表面４１１を介して追加の力を加え得る。この場合、行き詰った毛の解放は、もはや、上述のように、後続の毛髪によって加えられる力に単に依存しない。このように、毛２０１は、スロット３７から容易に解放されることができる。
【００４４】
図５に示すように、いくつかの実施形態では、第１のブロッキング部４１は、互いに反対側の２つの端部４１２及び４１３を有する。端部４１２は、移動歯２１と関連付けられたルート２１１に接続されることができ、反対側の端部４１３は、第１の距離（図示せず）だけ支持アーム１の内壁から分離されることができる。すなわち、反対側の端部４１３は、支持アーム１の内壁と直接接触しない。これは、切断要素２の移動中に生じる、反対側の端部４１３と支持アーム１の内壁との間の摩擦を回避する。
【００４５】
いくつかの実施形態では、ブロッキング部材４０は、第２方向Ｚに移動歯２１と支持アーム１との間に延びる少なくとも１つの第２のブロッキング部４２をさらに有し得る。第２のブロッキング部４２は、第１のブロッキング部４１に対して実質的に垂直に配向されて側壁を形成し得る。
【００４６】
いくつかの実施形態では、図５〜６５に示されるように、第２のブロッキング部４２は、第１のブロッキング部４１の異なる側面にそれぞれ配置される２つの第２のブロッキング部を有し、２つの側壁を形成し得る。このような側壁は、切断された毛の移動自由度、特に第１の方向Ｘに沿った移動自由度を制限するのを容易にする。この方法では、切断された毛は、第１のブロッキング部４１によってスロットから押し出される前に、側壁によって適切に操作されることができる。第２のブロッキング部４２の助けにより、図４に示すように、スロットを横切る切断された毛２０１が効果的に回避されることができる。
【００４７】
さらに図６に示すように、第１のブロッキング部４１の配置と同様に、第２のブロッキング部４２の一方の端部４２２は移動歯２１に接続され得、第２のブロッキング部４２の反対側の端部４２３は支持アーム１の内壁から第２の距離ｈだけ離され得る。第２の距離ｈは、図７に明確に示されている。第２の距離ｈは、同様に、切断要素２の移動中に生じる、反対側の端部４２３と支持アーム１の内壁との間の摩擦を回避する。
【００４８】
図６及び図７から分かるように、第２のブロッキング部４２の反対側の端部４２３は、支持アーム１の内壁に一致する表面４２１を有する。図７に示すように、表面４２１は、支持アーム１の内壁の輪郭に従い得るので、角度が付けられた部分（側面から見た場合）によって画定されたほぼ全部の内部空間が第２のブロッキング部４２で埋められることができ、これは、毛詰まりの可能性をさらに低下させる。
【００４９】
いくつかの実施形態では、第２のブロッキング部４２の表面４２１は、支持アーム１の内壁に沿って且つ支持アーム１の溝１１の底部１１１を越えて延び得る。この方法では、切断された毛は、スロットから完全に解放される前に、側壁によって連続的に操作されることができる。
【００５０】
代替的には、いくつかの実施形態では、図５〜７に示すように移動歯２１に接続される代わりに、ブロッキング部材４０は支持アーム１の延長部として支持アーム１に接続されることができる。
【００５１】
したがって、いくつかの実施形態では、第１のブロッキング部４１の端部４１２は、支持アーム１の溝１１の底部１１１に接続されることができる。したがって、第１のブロッキング部４１の反対側の端部４１３は、第３の距離（図示せず）だけ移動歯２１から分離されることができる。いくつかの実施形態では、ブロッキング部材４０は、支持アーム１の延長部として支持アーム１と一体に形成されることができる。
【００５２】
ブロッキング部４１の構成と同様に、いくつかの代替実施形態では、第２のブロッキング部４２の端部４２２は、支持アーム１の溝１１に関連付けられるフィンガ１１２に接続されることができる。フィンガ１１２は、図４に明確に示されている。従って、第２のブロッキング部４２の反対側の端部４２３は、第４の距離（図示せず）だけ移動歯２１から分離されることができる。
【００５３】
図８Ａ〜８Ｃは、ブロッキング要素によって毛詰まりがどのように防止されるかを概略的に示す。図８Ａに示すように、毛２０１は、切断され、ガード歯スロットで行き詰っている。次に、図８Ｂに示すように、毛に対するシェービングアセンブリのさらなる移動によって、先に行き詰った毛２０１はブロック要素によってスロットから押し出されことができ、その結果、次の毛の捕獲が妨げられないようになる。図８Ｃに示すように、切断位置に次の毛を受け入れる前に、先に行き詰った毛は常に既に押し出されていた。これにより、シェービングの途中で停止して行き詰った毛を掃除する必要なく、連続的且つ快適なシェービング行動を可能にする。
【００５４】
要約すると、本開示の種々の実施形態による詰まり防止シェービングアセンブリによって、スロットで発生する可能性のある毛の詰まりを効果的に低減し、さらには除去することができ、これは快適で連続的なシェービングを可能にする。さらに、このような詰まり防止シェービングアセンブリの単純な設計及び容易な製造は、現在利用可能な近接シェービングトリマーとの統合を容易にする。
【００５５】
本開示の上記の詳細な実施形態は、本開示の原理を例示するか又は説明するだけであり、本開示を限定するものではないことが理解されるべきである。従って、本開示の精神及び範囲から逸脱することなく、いかなる修正、均等な代替及び改良なども、本開示の保護の範囲に含まれるものとする。一方、本開示の添付の特許請求の範囲は、特許請求の範囲の範囲及び境界、又はその範囲及び境界の均等物に属する全ての変形及び修正をカバーすることを目的としている。
【図１Ａ】
2021518193.tif 000003
【図１Ｂ】
2021518193.tif 000004
【図１Ｃ】
2021518193.tif 000005
【図２】
2021518193.tif 000006
【図３Ａ】
2021518193.tif 000007
【図３Ｂ】
2021518193.tif 000008
【図３Ｃ】
2021518193.tif 000009
【図４】
2021518193.tif 000010
【図５】
2021518193.tif 000011
【図６】
2021518193.tif 000012
【図７】
2021518193.tif 000013
【図８Ａ】
2021518193.tif 000014
【図８Ｂ】
2021518193.tif 000015
【図８Ｃ】
2021518193.tif 000016
2021518193.tif 000017
2021518193.tif 000018
2021518193.tif 000019
【手続補正書】
【提出日】令和2年11月19日(2020.11.19)
【手続補正１】
【補正対象書類名】図面
【補正対象項目名】全図
【補正方法】変更
【補正の内容】
【図１Ａ】
2021518193.tif 000020
【図１Ｂ】
2021518193.tif 000021
【図１Ｃ】
2021518193.tif 000022
【図２】
2021518193.tif 000023
【図３Ａ】
2021518193.tif 000024
【図３Ｂ】
2021518193.tif 000025
【図３Ｃ】
2021518193.tif 000026
【図４】
2021518193.tif 000027
【図５】
2021518193.tif 000028
【図６】
2021518193.tif 000029
【図７】
2021518193.tif 000030
【図８Ａ】
2021518193.tif 000031
【図８Ｂ】
2021518193.tif 000032
【図８Ｃ】
2021518193.tif 000033
【国際調査報告】
2021518193.tif 000034
2021518193.tif 000035